(57)【要約】【課題】通常電力モードと、通常電力モードよりも少ない消費電力で動作する省電力モードとを切り替えて動作する装置において、省電力モードから通常電力モードに短時間で復帰することができる装置を提供する。【解決手段】本発明の装置は、通常電力モードと、通常電力モードよりも少ない消費電力で動作する省電力モードとを切り替えて動作する。本発明の装置は、全波整流出力の力率を改善するＰＦＣ部と、電力モードの遷移に応じて前記ＰＦＣ部の動作を制御するＰＦＣ制御手段と、を備える。前記ＰＦＣ制御手段は、前記装置が通常電力モードから省電力モードへの遷移を開始してから所定期間内に、前記装置が省電力モードから通常電力モードに復帰する契機となる復帰要因を検知した場合、前記ＰＦＣ部の動作をオンに維持することを特徴とする。【選択図】図１０
2018069668.tif 000002
【特許請求の範囲】
【請求項１】
通常電力モードと、通常電力モードよりも少ない消費電力で動作する省電力モードとを切り替えて動作する装置であって、
全波整流出力の力率を改善するＰＦＣ部と、
電力モードの遷移に応じて前記ＰＦＣ部の動作を制御するＰＦＣ制御手段と、を備え、
前記ＰＦＣ制御手段は、前記装置が通常電力モードから省電力モードへの遷移を開始してから所定期間内に、前記装置が省電力モードから通常電力モードに復帰する契機となる復帰要因を検知した場合、前記ＰＦＣ部の動作をオンに維持する
ことを特徴とする装置。
【請求項２】
前記ＰＦＣ制御手段は、前記遷移の開始から前記装置の電源レベルが所定値以下になるまでに前記復帰要因を検知した場合、前記ＰＦＣ部の動作をオンに維持する
ことを特徴とする請求項１に記載の装置。
【請求項３】
前記装置の電源レベルを監視する電源監視手段であって、前記装置の電源レベルが所定値以下になることに応じて前記ＰＦＣ制御手段に出力するリセット信号をオフに切り替える電源監視手段をさらに備え、
前記ＰＦＣ制御手段は、前記遷移を開始してから前記リセット信号がオフに切り替わるまでに前記復帰要因を検知した場合、前記ＰＦＣ部の動作をオンに維持する
ことを特徴とする請求項２に記載の装置。
【請求項４】
前記ＰＦＣ制御手段は、前記リセット信号がオフに切り替わった場合、前記ＰＦＣ部の動作をオンからオフに制御する
ことを特徴とする請求項３に記載の装置。
【請求項５】
前記装置に電源を供給する電源部と、
前記電源部から前記装置のモジュールに供給される電源を制御する電源制御手段と、をさらに備え、
前記電源部は前記ＰＦＣ部を有し、
前記電源制御手段は前記ＰＦＣ制御手段を有し、
前記電源監視手段は、前記電源部から前記装置のモジュールに供給される電源の電源レベルを監視する
ことを特徴とする請求項３または４に記載の装置。
【請求項６】
入力される割り込み信号の種類に応じて前記復帰要因が発生したか否かを判定する復帰要因判定手段をさらに備える
ことを特徴とする請求項１から５のいずれか１項に記載の装置。
【請求項７】
印刷ジョブに基づいて印刷を実行するプリンタ部をさらに備え、
前記復帰要因は、前記印刷ジョブの受信である
ことを特徴とする請求項１から６のいずれか１項に記載の装置。
【請求項８】
電話回線を介して画像データを受信するファックス部をさらに備え、
前記復帰要因は、前記ファックス部へのファックス着信である
ことを特徴とする請求項１から７のいずれか１項に記載の装置。
【請求項９】
ユーザから操作を受け付ける操作部をさらに備え、
前記復帰要因は、前記操作部への操作の受け付けである
ことを特徴とする請求項１から８のいずれか１項に記載の装置。
【請求項１０】
通常電力モードと、通常電力モードよりも少ない消費電力で動作する省電力モードとを切り替えて動作する装置の電力制御方法であって、
電力モードの遷移に応じて、全波整流出力の力率を改善するＰＦＣ部の動作を制御するＰＦＣ制御ステップを備え、
前記ＰＦＣ制御ステップにおいて、前記装置が通常電力モードから省電力モードへの遷移を開始してから所定期間内に、前記装置が省電力モードから通常電力モードに復帰する契機となる復帰要因が検知された場合、前記ＰＦＣ部の動作がオンに維持される
ことを特徴とする電力制御方法。
【請求項１１】
コンピュータを、請求項１から請求項９のいずれか１項に記載の装置の各手段として機能させるためのプログラム。
【発明の詳細な説明】
【技術分野】
【０００１】
本発明は、通常電力モードと、通常電力モードよりも少ない消費電力で動作する省電力モードとを切り替えて動作する装置、および該装置の電力制御方法に関する。
【背景技術】
【０００２】
コピー機能、プリント機能、スキャン機能、ファクシミリ機能などを備える複合機（ＭＦＰ）は、通常電力モードと、通常電力モードよりも少ない電力で動作する省電力モードとを切り替えて動作することが知られている。このようなＭＦＰは、通常電力モードで印刷を行う場合ＫＷ（キロワット）オーダーの電力を消費する一方、省電力モードでは１Ｗ（ワット）以下の電力しか消費しない。ＭＦＰが省電力モードに遷移し、消費電力を抑制可能に設計される理由は、ヨーロッパにおけるＥｒＰ指令や、米国におけるＥｎｅｒｇｙ  Ｓｔａｒなどの省電力に関する規格や規制の要請によるものである。
【０００３】
通常電力モードと省電力モードとを切り替えて動作するＭＦＰを実現するためには、ＭＦＰの各モジュール（プリンタ部など）に、ＫＷオーダーの大きな電力と１Ｗ以下の小さな電力とを安定的に供給可能な電源供給ユニットが必要となる。従来技術では、電源供給ユニットに設けられる力率改善回路（ＰＦＣ回路）の動作を制御する手法が知られている。すなわち、従来手法は、大きな電力が必要な通常モードではＰＦＣ回路をオンに切り替えて全波整流出力の力率を改善し、小さな電力が必要な省電力モードではＰＦＣ回路をオフに切り替えてＰＦＣ回路自身が消費する電力を抑制する。その他、電力供給ユニットに設けられるＰＦＣ回路の動作を制御する手法としては、特許文献１の手法も知られている。
【先行技術文献】
【特許文献】
【０００４】
【特許文献１】特開２０１１−１６７０１９号公報
【発明の概要】
【発明が解決しようとする課題】
【０００５】
しかしながら、従来手法を適用したＭＦＰでは、ＭＦＰが省電力モードから通常電力モードに復帰するために必要な時間が長くなってしまう場合があった。これは、ＰＦＣ回路が一旦オフに切り替えられると、ＰＦＣ回路がオンに切り替えられ、ＰＦＣ回路が再び安定した電圧を出力可能となるまでの遅延時間が発生してしまうためである。このため、従来手法を適用したＭＦＰは、遅延時間の経過を待って、省電力モードから通常電力モードに復帰するための復帰処理を開始する必要があった。
【０００６】
本発明は上記課題を鑑みてなされたものであり、省電力モードから通常電力モードに短時間で復帰可能な装置を提供することを目的とする。
【課題を解決するための手段】
【０００７】
本発明の装置は、通常電力モードと、通常電力モードよりも少ない消費電力で動作する省電力モードとを切り替えて動作する装置であって、全波整流出力の力率を改善するＰＦＣ部と、電力モードの遷移に応じて前記ＰＦＣ部の動作を制御するＰＦＣ制御手段と、を備え、前記ＰＦＣ制御手段は、前記装置が通常電力モードから省電力モードへの遷移を開始してから所定期間内に、前記装置が省電力モードから通常電力モードに復帰する契機となる復帰要因を検知した場合、前記ＰＦＣ部の動作をオンに維持することを特徴とすることを特徴とする。
【発明の効果】
【０００８】
本発明の装置は、省電力モードから通常電力モードに短時間で復帰することができる、という効果を奏する。
【図面の簡単な説明】
【０００９】
【図１】本実施形態において画像形成システムの構成例を示す図である。
【図２】本実施形態のＭＦＰにおいて電源部の構成を示すブロック図である。
【図３】本実施形態のＭＦＰにおいてコントローラ部の構成を示すブロック図である。
【図４】本実施形態のＭＦＰにおいて電源制御部の構成を示すブロック図である。
【図５】本実施形態のＭＦＰにおいて電源ユニットの構成を示すブロック図である。
【図６】本実施形態のＭＦＰにおける電力モードの状態遷移図である。
【図７】従来技術におけるＰＦＣ回路制御の手順を示すフローチャートである。
【図８】従来技術における電源レベルおよび各信号レベルの遷移を示すタイミングチャートである。
【図９】本実施形態におけるＰＦＣ回路制御の手順を示すフローチャートである。
【図１０】本実施形態における電源レベルおよび各信号レベルの遷移を示すタイミングチャートである。
【発明を実施するための形態】
【００１０】
以下、本発明を実施するための形態について図面を参照して説明する。ただし、この実施形態に記載されている構成要素はあくまで例示であり、本発明の範囲をそれらに限定する趣旨のものではない。
【００１１】
［実施形態］
図１は、本実施形態において、スキャン機能、プリント機能、コピー機能、ファックス機能などを備えた複合機（Ｍｕｌｔｉ  Ｆｕｎｃｔｉｏｎ  Ｐｒｉｎｔｅｒ、以下「ＭＦＰ」と記す）１０１を含む画像形成システムのシステム構成例を示す。図１において、ＭＦＰ１０１は、ネットワーク１０３を介してＰＣ１０２に接続されている。ＰＣ１０２はコンピュータであり、ＰＣ１０２は印刷を指示する印刷ジョブなどのデータをＭＦＰ１０１に送信することができる。
【００１２】
次に、ＭＦＰ１０１の概略構造および動作について説明する。操作部１０５は、ユーザから各種操作を受け付けるためのスイッチや操作パネル、およびユーザに対して各種情報を表示するための表示部により構成される。表示部は、操作パネルとして機能するタッチスクリーンディスプレイによって構成されていてもよい。スキャナ部１０６は、紙原稿を光学的にスキャンして画像データに変換し、当該画像データをコントローラ部１０４に入力し、またはコントローラ部１０４が備える記憶領域に書き込む機構を備える。プリンタ部１０７は、コントローラ部１０４で処理された画像データを用紙などの記録媒体に印刷する。ファクス部１０８は、スキャナ部１０６でスキャンした紙原稿の画像データを、電話回線１１０を介して接続先のファックス装置に送信する。また、ファックス部１０８は、電話回線１１０を介して接続される他のファックス装置からファックス着信を検知することができる。ファックス部１０８は、他のファックス装置から送信される画像データをプリンタ部１０７に印刷させる機能を備える。電源部１０９は、商用の交流電源を直流電源に変換し、ＭＦＰ１０１内の各ユニットに電力を供給する。
【００１３】
図２は、本実施形態のＭＦＰ１０１において、主に電源部１０９の構成を示すブロック図である。ユーザによって電源スイッチ２０９がオンに操作され、ＭＦＰ１０１に電力が供給されているオン状態にあるとき、電源部１０９内の電源ユニット２０１には電源プラグ２０８から商用の交流電源が供給される。本実施形態において、ＭＦＰ１０１のスキャナ部１０６、プリンタ部１０７、ファックス部１０８などの主要なモジュールに電力が供給されている状態を「通常電力モード」と記す。通常電力モードでは、後述のＣＰＵ３０１が動作し、ＭＦＰ１０１の各部を制御することができる。また、ＭＦＰ１０１の主要なモジュールへの電力供給が停止し、ＭＦＰ１０１が通常電力モードよりも少ない消費電力で動作している状態を「省電力モード」と記す。省電力モードでは、ＣＰＵ３０１の一部の以外の動作が停止し、ＭＦＰ１０１の各部を制御することができない。
【００１４】
電源ユニット２０１は供給された交流電源から直流電源を生成し、生成した直流電源はコントローラ部１０４と、コントローラ部１０４を介して操作部１０５とに供給される。電源ユニット２０１が生成した直流電源は、スイッチ２０２、２０３、２０４を介してスキャナ部１０６、プリンタ部１０７、ファクス部１０８にもそれぞれ供給される。スキャナ部１０６、プリンタ部１０７、ファクス部１０８にそれぞれ供給される直流電源は、コントローラ部１０４内の電源制御部３１０がスイッチ２０２、２０３、２０４を切り替えることにより、オフオン制御される。本実施形態では、ＭＦＰ１０１の全体の動作に応じて、電源制御部３１０が各スイッチを切り替えることにより、ＭＦＰ１０１の電力制御を細やかに行うことができる。
【００１５】
ＭＦＰ１０１が通常電力モードから省電力モードに遷移する際、電源制御部３１０がスイッチ２０２、２０３、２０４をオフに切り替えることにより、スキャナ部１０６、プリンタ部１０７、ファクス部１０８への電源供給が停止される。ただし、ファクス部１０８に関しては、省電力モードにおいてもファックス着信を検知するために必要な部分への電力は常に供給されるものとする。また、ＣＰＵ３０１に関しては、省電力モードにおいても電力モードレジスタ３１４の値を書き替える部分への電力は常に供給されるものとする。
【００１６】
電源ユニット２０１は、交流電源の交流電圧を全波整流する全波整流部２０５と、全波整流出力の力率を改善するＰＦＣ部２０６と、ＰＦＣ部２０６からの出力を所望の電圧に変換するスイッチングレギュレータ部２０７と、から構成される。ＰＦＣ部２０６はＰＦＣ（Ｐｏｗｅｒ  Ｆａｃｔｏｒ  Ｃｏｒｒｅｃｔｉｏｎ）回路によって実現することができる。ここで、ＰＦＣ回路とは、入力される交流電源の電流波形の乱れを整形して電圧波形に近づけることで力率を改善させる回路である。電源ユニット２０１にＰＦＣ回路を適用することにより、電流波形における高調波成分を低減してノイズ障害の発生を防ぐことと、電力の消費効率を改善することとを実現することができる。
【００１７】
ＰＦＣ部２０６には電源制御部３１０からＰＦＣ制御信号が入力される。電源制御部３１０はＰＦＣ制御信号のオフオンを切り替えることにより、ＰＦＣ部２０６の動作を制御することができる。本実施形態の電源制御部３１０は、ＭＦＰ１０１の消費電力が省電力モードよりも大きい通常電力モードではＰＦＣ制御信号をオンに切り替えてＰＦＣ部２０６を動作させる。一方、電源制御部３１０は、ＭＦＰ１０１の消費電力が通常電力モードよりも少ない省電力モードではＰＦＣ制御信号をオフに切り替えてＰＦＣ部２０６の動作を停止する。これは、ＭＦＰ１０１が省電力モードの場合、ＭＦＰ１０１全体が消費する電力のうち、ＰＦＣ部２０６自身が消費する電力の割合が無視できないほど大きくなってしまうからである。さらに、ＭＰＦ１０１が省電力モードの場合、電流波形における高調波成分による弊害がほとんど生じないからでもある。
【００１８】
ただし、本実施形態において、ＰＦＣ部２０６の動作が停止した状態におけるＭＦＰ１０１の消費電力（省電力モード）は、定格以下の上限値である２４Ｗが保証されている。消費電力が２４Ｗを超えなければ、コントローラ部１０４は、ＰＦＣ部２０６の動作が停止した状態のままでも、例外的に一部のＤＣ／ＤＣコンバータを起動させて使用することが可能である。省電力モードにおけるＭＦＰ１０１の消費電力が上限値である２４Ｗを超える可能性があるか否かは、電源制御部３１０が、ＭＦＰ１０１の稼動状態に基づいて判断する。なお、本実施形態の定格以下の上限値（２４Ｗ）は一例であり、上記の値に限定されない。
【００１９】
図３は、本実施形態のＭＦＰ１０１において、コントローラ部１０４の構成を示すブロック図である。コントローラ部１０４は、ＣＰＵ３０１と、プログラムメモリ３０２と、汎用メモリ３０３と、エンジンＩ／Ｆ３０４と、操作部Ｉ／Ｆ３０５と、割り込み制御部３０６と、ＬＡＮコントローラ３０７と、電源制御部３１０と、スイッチ３０８と、から構成される。なお、図３のブロック図において、ブロック間をつなぐ細線は信号を伝送する経路を示し、ブロック間をつなぐ太線は電源を供給する経路を示し、ブロック間をつなぐ破線は電源を監視する経路をそれぞれ示している。
【００２０】
ＣＰＵ３０１は、ＰＣＩ  Ｅｘｐｒｅｓｓバスを介してそれぞれエンジンＩ／Ｆ３０４、ＬＡＮコントローラ３０７と相互に通信可能に接続されている。ＣＰＵ３０１は、スキャナ部１０６、プリンタ部１０７、ファックス部１０８などの各デバイス（モジュール）とのインターフェース回路を備える。ＣＰＵ３０１は、プログラムメモリ３０２に格納されたプログラムを汎用メモリ３０３（ＲＡＭ）に展開することにより、ＭＦＰ１０１の制御を実行する。プログラムメモリ３０２は、ＭＦＰ１０１の制御プログラムや制御データを格納する。汎用メモリ３０３は、ＣＰＵ３０１のワークメモリとして使用されると共に、コピー、スキャン、プリント、ファクス送信、ファックス着信等の各処理に応じて、各モジュールが処理可能なフォーマットで画像データを格納する。エンジンＩ／Ｆ３０４は、スキャナ部１０６、プリンタ部１０７、ファクス部１０８に接続され、ＣＰＵ３０１と上記各モジュールとの間における通信制御および画像データの送受信を行う。操作部Ｉ／Ｆ３０５は、ＣＰＵ３０１と操作部１０５とを接続するためのインターフェースであり、操作部１０５におけるキー、タッチスクリーンディスプレイ等にユーザから操作が受け付けられることに応じて生成される操作データの送受信を行う。さらに、操作部Ｉ／Ｆ３０５は、ＣＰＵ３０１で生成され、操作部１０５に表示するための画面データを操作部１０５に送信する。割り込み制御部３０６は、操作部Ｉ／Ｆ３０５を介して操作部１０５から入力される割り込み信号や、ＬＡＮコントローラ３０７を介してネットワーク１０３に接続されている外部装置からの割り込み信号、その他、装置内の各部からの割り込み信号を検知する。割り込み制御部３０６は、これら入力される割り込み信号の種類に応じて、ＭＦＰ１０１が省電力モードから通常電力モードに遷移（復帰）する契機となる復帰要因が発生したか否かを判定することができる。同様に、割り込み制御部３０６は、操作部Ｉ／Ｆ３０５から入力される割り込み信号に応じて、ＭＦＰ１０１が通常電力モードから省電力モードに遷移する契機となる遷移要因が発生したか否かを判定することができる。割り込み制御部３０６は、復帰要因（遷移要因）が発生した場合、復帰要因（遷移要因）の発生を電源制御部３１０およびＣＰＵ３０１に通知する。ＬＡＮコントローラ３０７は、ネットワーク１０３に接続される外部装置と、ネットワーク１０３を介した通信を制御する。
【００２１】
スイッチ３０８は、電源制御部３１０による制御に応じて電源部１０９から供給される電源のオフオンが切り替えられる。本実施形態では、ＭＦＰ１０１が省電力モードのときに、電源制御部３１０がスイッチ３０８をオフに切り替えるように制御する。スイッチ３０８がオフに切り替えられることにより、ＣＰＵ３０１、プログラムメモリ３０２、汎用メモリ３０３、エンジンＩ／Ｆ３０４、操作部Ｉ／Ｆ３０５、操作部１０５に供給される電源が遮断される。このとき、ＣＰＵ３０１は、ＣＰＵ３０１が保持していた各種データを汎用メモリ３０３に退避し、次いで汎用メモリ３０３をセルフリフレッシュ状態に移行させる。かかる制御により、汎用メモリ３０３は、ＭＦＰ１０１が通常状態で稼動している場合よりも消費電力が低い状態でデータ保持を行うことができる。なお、前述の通り、スイッチ３０８がオフに切り替えられた場合でも、ＣＰＵ３０１に対しては、電力モードレジスタ３１４への値を切り替えるために必要な電力が電源部１０９から供給される。
【００２２】
図４は、本実施形態のＭＦＰ１０１において、電源制御部３１０の詳細構成を示すブロック図である。電源制御部３１０は、電源監視部３１１と、ＰＦＣ制御部３１２と、スイッチ制御部３１３と、電力モードレジスタ３１４と、ＰＦＣ部強制ＯＮレジスタ３１５と、から構成される。
【００２３】
電源監視部３１１は、ＭＦＰ１０１の電源レベルを監視する。本実施形態の電源監視部３１１は、スイッチ３０８に入力される電源の電源レベル、すなわち電源部１０９からスイッチ３０８に入力される電圧を監視する。電源監視部３１１は、監視対象となるスイッチ３０８の電源レベルに応じて、ＰＦＣ制御部３１２にリセット信号を出力することにより、ＰＦＣ制御部３１２にスイッチ３０８の電源レベルを通知することができる。ＰＦＣ制御部３１２は、スイッチ３０８の電源レベルに応じて、電源制御部３１０からＰＦＣ部２０６に入力されるＰＦＣ制御信号のオフオンを制御することができる。スイッチ制御部３１３は、電力モードレジスタ３１４に書き込まれた値に応じて、電力制御部３１０からスイッチ２０２〜２０４、３０８に入力されるスイッチ制御信号のオフオンを制御することができる。
【００２４】
電源制御部３１０内には電力モードレジスタ３１４が設けられている。ＣＰＵ３０１は、プログラムメモリ３０２から読み出した電源制御プログラムに応じて、電源制御部３１０に現在のＭＦＰ１０１の電力モードを示すステート通知信号を送信する。電源制御部３１０は、受信したステート通知信号に応じて、電力モードレジスタ３１４に所定の値を書き込む。本実施形態において、電力モードレジスタ３１４に書き込まれる値は、ＭＦＰ１０１が通常電力モードであることを示す「１」と、ＭＦＰ１０１が省電力モードであることを示す「０」とのどちらかである。スイッチ制御部３１３は、電力モードレジスタ３１４に書き込まれた値に応じてＭＦＰ１０１が通常電力モードまたは省電力モードのいずれかのモードであるかを認識し、スイッチ２０２〜２０４、３０８の切り替えを制御することができる。本実施形態では、電力モードレジスタ３１４の値が「１」から「０」に書き替えられたタイミングが、ＭＦＰ１０１が通常電力モードから省電力モードへの遷移を開始するタイミングとなる。
【００２５】
電源制御部３１０内にはさらにＰＦＣ部強制ＯＮレジスタ３１５が設けられている。ＰＦＣ部強制ＯＮレジスタ３１５に書き込まれる値は、ＰＦＣ制御部３１２がＰＦＣ制御信号をオンに切り替えることを示す「１」と、またはＰＦＣ制御部３１２がＰＦＣ制御信号をオフに切り替えることを示す「０」とのどちらかである。本実施形態では、ＭＦＰ１０１が初期化を行う際に、ＣＰＵ３０１はＭＦＰ１０１が省電力モードの場合に必要な想定電力値を算出する。この想定電力値が、ＰＦＣ部２０６の動作が停止した状態における上限値（例えば、２４Ｗ）を超えている場合、ＣＰＵ３０１はＰＦＣ部強制ＯＮレジスタ３１５の値を「１」に書き替える。例えば、ファックス部１０８のオプションとして電話機が接続された結果、ＭＦＰ１０１が省電力モードの場合に必要な想定電力値が２４Ｗを超えている場合、ＰＦＣ部強制ＯＮレジスタ３１５の値は「１」に書き替えられる。ＰＦＣ部強制ＯＮレジスタ３１５の値が「１」である場合、ＰＦＣ制御部３１２は常にＰＦＣ制御信号をオンに制御する。
【００２６】
図５は、本実施形態のＭＦＰ１０１において、主に電源ユニット２０１の構成を示すブロック図である。ユーザによって電源スイッチ２０９がオンに操作され、全波整流部２０５に交流電源が供給されると、整流された脈流電圧波形の電流がＰＦＣ部２０６に入力される。ＰＦＣ制御回路４０８は、電流波形が電圧波形と同期するようにＦＥＴ（Ｆｉｅｌｄ  Ｅｆｆｅｃｔ  Ｔｒａｎｓｉｓｔｏｒ）４０２のオフオンの切り替えを制御する。ＦＥＴ４０２がオンに切り替えられた場合、チョークコイル４０１に電力が蓄えられ、ＦＥＴ４０２がオフに切り替えられた場合、チョークコイル４０１に蓄えた電力がダイオード４０３を介して一次平滑コンデンサ４０６に供給される。このようなＦＥＴ４０２の制御により、ＰＦＣ部２０６は入力された電源の電流波形を調節することができる。ＰＦＣ制御回路４０８は、分圧抵抗４０４、４０５で分圧された電圧値、および、抵抗４０７に流れる電流値を監視する。ＰＦＣ制御回路４０８は、これらの監視結果に基づいてＦＥＴ４０２のオフオンの切り替えを制御する。本実施形態では、ＰＦＣ制御信号がオンを示す場合、ＰＦＣ制御回路４０８はＰＦＣ部２０６が動作するように制御する。すなわち、ＰＦＣ制御信号がオンを示す場合、ＰＦＣ制御回路４０８はＦＥＴ４０２のオフオンの切り替えを制御することができる。一方、ＰＦＣ制御信号がオフを示す場合、ＰＦＣ制御回路４０８はＰＦＣ部２０６の動作が停止するように制御する。すなわち、ＰＦＣ制御信号がオフを示す場合、ＰＦＣ制御回路４０８はＦＥＴ４０２をオフに維持する。ＦＥＴ４０２がオフに維持されることにより、ＰＦＣ制御回路４０８の監視結果にかかわらずＰＦＣ部２０６の動作が停止するように制御される。
【００２７】
図６は、本実施形態におけるＭＦＰ１０１の電力モードの状態遷移図である。本実施形態のＭＦＰ１０１は、少なくとも電源オフ、通常電力モード、省電力モードの各電力モードに遷移することができる。電源スイッチ２０９がオフに切り替えられ、ＭＦＰ１０１が電源オフ５０１である場合、ＭＦＰ１０１を構成する各モジュールへの電力供給は遮断される。電源スイッチ２０９がオンに切り替えられると、ＭＦＰ１０１の各モジュールに電力が供給され、ＭＦＰ１０１は通常電力モードに遷移する。通常電力モード５０２は、スキャナ部１０６、プリンタ部１０７、ファックス部１０８などそれぞれが稼動している状態、あるいは、スキャナ部１０６、プリンタ部１０７、ファックス部１０８などが受信したジョブを直ちに実行可能な状態であることをいう。
【００２８】
ＭＦＰ１０１が通常電力モード５０２で動作しているときに、ＣＰＵ３０１は電力制御プログラムに応じて電源制御部３１０を制御し、ＭＦＰ１０１を通常電力モード５０２から電源オフ５０１に、または省電力モード５０３に遷移させることができる。例えば、プリンタ部１０７は、受信したジョブを終了してから一定時間経過した場合、ＭＦＰ１０１を通常電力モード５０２から省電力モード５０３に遷移させる契機となる割り込み信号を、エンジンＩ／Ｆ３０４を介して割り込み制御部３０６に送信する。あるいはまた、操作部１０５に設けられた「節電ボタン」がユーザによって押下されることに応じて、上記割り込み信号が、操作部Ｉ／Ｆ３０５を介して割り込み制御部３０６に送信される。本実施形態では、割り込み制御部３０６が、入力される割り込み信号の種類に応じて、ＭＦＰ１０１が通常電力モードから省電力モードに遷移する契機となる遷移要因が発生したか否かを判定することができる。ＣＰＵ３０１は、割り込み制御部３０６からＣＰＵ３０１に入力される遷移要因信号に応じて、ステート通知信号を電源制御部３１０に送信する。前述の通り、電源制御部３１０は、ＣＰＵ３０１から電力制御部３１０に入力されるステート通知信号の値に応じて電力モードレジスタ３１４の値が書き込まれる。
【００２９】
なお、省電力モード５０３は、電源部１０９のスイッチ２０２〜２０４とコントローラ部１０４のスイッチ３０８とがオフに切り替えられ、コントローラ部１０４の一部モジュールのみに電力が供給されている状態であることをいう。省電力モード５０３において、ＣＰＵ３０１の一部と、汎用メモリ３０３と、操作部Ｉ／Ｆ３０５と、電源制御部３１０と、割り込み制御部３０６と、ＬＡＮコントローラ３０７と、ファクス部１０８と、エンジンＩ／Ｆ３０４と、にのみ電源が供給される。さらに、省電力モード５０３において、汎用メモリ３０３はセルフリフレッシュモードに遷移するため、消費電力をより抑制することができる。
【００３０】
続いて、本実施形態におけるＰＦＣ部２０６を制御する手法について説明する。前述の通り、本実施形態では、ＭＦＰ１０１が通常電力モード５０２である場合はＰＦＣ部２０６がオンに切り替えられ、ＭＦＰ１０１が省電力モード５０３である場合はＰＦＣ部２０６がオフに切り替えられる。
【００３１】
ここで、本実施形態のＭＦＰ１０１は、省電力モードから通常電力モードに復帰する場合、復帰要因に応じて、ＭＦＰ１０１の各モジュールに対して選択的に電力供給を行うことができる。本実施形態では、割り込み制御部３０６が、入力される割り込み信号の種類に応じて、ＭＦＰ１０１が省電力モードから通常電力モードに遷移する契機となる復帰要因が発生したか否かを判定することができる。例えば、操作部１０５に設けられた「復帰ボタン」がユーザによって押下されることに応じて、ＭＦＰ１０１が省電力モードから通常電力モードに復帰する契機となる割り込み信号が、操作部Ｉ／Ｆ３０５を介して割り込み制御部３０６に送信される。また例えば、ＬＡＮコントローラ３０７は、外部装置からネットワーク１０３を経由して受信したコマンドを解析し、コマンドの解析結果に応じた割り込み信号を割り込み制御部３０６に出力する。具体的には、ＬＡＮコントローラ３０７は、受信したコマンドがＭＦＰ１０１の稼動状態を問い合わせるコマンド（例えばｐｉｎｇ）の場合と、受信したコマンドが印刷を指示する印刷ジョブの場合とで、出力する割り込み信号を異ならせることができる。このように、本実施形態の割り込み制御部３０６は、入力される割り込み信号の種類に応じて、復帰要因の発生を判定することができる。このような割り込み制御部３０６は、いわば入力される割り込み信号の種類に応じて復帰要因が発生したか否かを判定する復帰要因判定手段として機能すると言える。
【００３２】
本実施形態のＭＦＰ１０１は、ＰＦＣ部２０６の動作のオフオンの切り替えについても、復帰要因に応じて制御することができる。本実施形態では、割り込み制御部３０６が、ＭＦＰ１０１が省電力モードから通常電力モードに遷移する契機となる復帰要因が発生した場合、割り込み制御部３０６からＰＦＣ制御部３１２に入力される復帰要因信号をオンに切り替える。ＰＦＣ制御部３１２は、入力される復帰要因信号がオンに切り替わった場合、ＰＦＣ部強制ＯＮレジスタ３１５が「１」である場合を除いて、ＰＦＣ制御信号をオンに制御する。
【００３３】
復帰要因と、復帰要因に応じた電力モードと、ＰＦＣ部２０６のオフオンとの対応関係を表１に示す。
【００３４】
【表１】
2018069668.tif 000003
【００３５】
表１のテーブルは、例えば割り込み制御部３０６の不図示の記憶領域に格納される。割り込み制御部３０６は、ＭＦＰ１０１の各モジュールから入力される割り込み信号が示す値（割り込み信号の種類）から、上記テーブルにおける対応する値を検索することにより、電力モードと、ＰＦＣ部２０６のオフオンを特定することができる。ＣＰＵ３０１は、割り込み制御部３０６からＣＰＵ３０１に入力される復帰要因信号に応じて、ステート通知信号を電源制御部３１０に送信する。前述の通り、電源制御部３１０は、ＣＰＵ３０１から電力制御部３１０に入力されるステート通知信号の値に応じて電力モードレジスタ３１４の値が書き込まれる。さらに、本実施形態では、割り込み制御部３０６からＰＦＣ制御部３１２に復帰要因信号が入力される。前述の通り、ＰＦＣ制御部３１２は、割り込み制御部３０６からＰＦＣ制御部に入力される復帰要因信号の値と、後述の電源監視部３１１からＰＦＣ制御部３１２に入力されるリセット信号の値と、に応じてＰＦＣ制御信号のオフオンを制御する。
【００３６】
図３で説明した通り、復帰要因に対応する想定電力値が、ＰＦＣ部２０６の動作が停止した状態における上限値（例えば、２４Ｗ）以下であれば、ＰＦＣ部２０６の動作を停止したままでＭＦＰ１０１の省電力モードが維持される。例えば、復帰要因がｐｉｎｇコマンド受信のようなネットワーク問い合わせであった場合には、コントローラ１０４の一部への電力供給で応答が可能であるため、想定電力値は２４Ｗ以下であり、ＰＦＣ部２０６がオフに制御される。一方、復帰要因がネットワーク印刷ジョブであった場合には、上限値を超えてプリンタ部１０７などに電力供給を行う必要があるため、ＰＦＣ部２０６がオンに切り替えられる。
【００３７】
図７は、従来技術において、電源制御部３１０が実行するＰＦＣ回路制御の処理手順を示すフローチャートである。なお、図７のフローチャートは従来技術の処理手順を示しているが、本実施形態と共通するブロックについては、説明のため同じ符号を参照して説明する。この処理は、プログラムメモリ３０２に記憶される電力制御プログラムに基づき、ＣＰＵ３０１が電源制御部３１０に実行させる。なお、以降で記す符号Ｓは、フローチャートにおけるステップであることを意味する。図９のフローチャートにおいても同じである。
【００３８】
Ｓ６０１において、電源制御部３１０は、省電力モード遷移のための割り込み信号（復帰要因信号）を受信したか否かを判定する。省電力モード遷移のための割り込み信号を受信した場合（Ｓ６０１：ＹＥＳ）、Ｓ６０２に移行する。省電力モード遷移のための割り込み信号を受信していない場合（Ｓ６０１：ＮＯ）、再びＳ６０１に戻る。
【００３９】
Ｓ６０２において、電源制御部３１０は、ＣＰＵ３０１から電源制御部３１０に入力されるステート通知信号が、省電力モードを示す値であるか否かを判定する。ステート通知信号が省電力モードを示す値である場合、すなわちＭＦＰ１０１が省電力モードに移行することが電源制御部３１０に通知された場合（Ｓ６０２：ＹＥＳ）、電力モードレジスタ３１４の値が「１」に書き替えられ、Ｓ６０３に移行する。ステート通知信号が省電力モードを示す値ではない場合、すなわちＭＦＰ１０１が省電力モードに移行することが電源制御部３１０に通知されない場合（Ｓ６０２：ＮＯ）、再びＳ６０２に戻り、電源制御部３１０はステート通知信号が切り替わるのを待つ。
【００４０】
Ｓ６０３において、スイッチ制御部３１３は、スイッチ２０３〜２０５、３０８をオフに切り替える。
【００４１】
Ｓ６０４において、ＰＦＣ制御部３１２は、電源監視部３１１からＰＦＣ制御部３１２に入力されるリセット信号が、オン（Ｈｉｇｈ）からオフ（Ｌｏｗ）に切り替わったか否かを判定する。リセット信号がオフに切り替わった場合（Ｓ６０４：ＹＥＳ）、Ｓ６０５に移行する。リセット信号がオフに切り替わらない場合（Ｓ６０４：ＮＯ）、再びＳ６０４に戻り、ＰＦＣ制御部３１２はリセット信号が切り替わるのを待つ。
【００４２】
Ｓ６０５において、ＰＦＣ制御部３１２はＰＦＣ制御信号をオフに切り替える。ＰＦＣ制御信号がオフに切り替えられると（Ｓ６０５）、本フローチャートによる処理を終了する。
【００４３】
図８は、従来技術における電源レベルおよび各信号レベルの遷移を示すタイミングチャートである。図８のタイミングチャートでは、ＭＦＰ１０１が通常電力モードから省電力モードへの遷移を開始してからリセット信号がオンからオフに切り替わるまでに、復帰要因信号を受信した場合の電源レベルおよび各信号レベルの遷移が示されている。なお、移行で記す符号ｔは、所定のイベントが発生したタイミングを示す。また、曲線矢印は、あるイベントの発生と他のイベントの発生との相関を示している。図１０のタイムチャートにおいても同じである。
【００４４】
ｔ１において、ＭＦＰ１０１は、通常電力モードから省電力モードへの遷移を開始する。前述の通り、本実施形態のＭＦＰ１０１は、スキャナ部１０６、プリンタ部１０７、ファックス部１０８などがそれぞれ受信したジョブを終了してから一定時間経過した場合に、通常電力モードから省電力モードへの遷移を開始する。あるいはまた、操作部１０５に設けられた「節電ボタン」がユーザによって押下されることに応じて、ＣＰＵ３０１は、ＭＦＰ１０１を強制的に通常電力モードから省電力モードへの遷移を開始させてもよい。ＭＦＰ１０１が通常電力モードから省電力モードへの遷移を開始すると、電源制御部３１０はＣＰＵ３０１から入力されるステート通知信号に応じて（Ｓ６０２）、スイッチ３０８をオフに切り替える（Ｓ６０３）。この結果、スイッチ３０８の電源レベルはＨｉｇｈからＬｏｗに遷移し、スイッチ３０８に供給される電源の電圧値も漸次低下する。
【００４５】
ｔ２において、ＰＦＣ制御部３１２は、通常電力モード遷移のための割り込み信号（復帰要因信号）を割り込み制御部３０６から受信する。
【００４６】
ｔ３において、スイッチ３０８の電源レベルがオフになると、リセット信号がオフに切り替わる（Ｓ６０４）。次いで、リセット信号がオンからオフに切り替わったことに応じて、ＰＦＣ制御部３１２はＰＦＣ制御信号をオフに切り替える（Ｓ６０５）。このように、従来技術では、ＰＦＣ制御信号がオフに切り替わることにより、ＭＦＰ１０１が通常電力モードから省電力モードへの遷移を完了する。
【００４７】
ｔ４において、ＰＦＣ回路が起動するまでの遅延時間が経過すると（本実施形態では５００ｍｓｅｃ）、ＰＦＣ制御部３１２はＰＦＣ制御信号を再びオンに切り替える。これは、ＰＦＣ回路の動作がオンに切り替えられてから電源ユニット２０１がＭＦＰ１０１の定格電力（例えば、１０００Ｗ）を安定的に出力できるようになるには、５００ｍｓｅｃ程度の遅延時間が必要となるためである。この結果、一旦ＰＦＣ回路の動作がオフに切り替えられてしまうと、電源制御部３１０は、遅延時間の経過を待ってスイッチ２０３〜２０５、３０８をオフからオンに切り替える処理を開始する必要があった。
【００４８】
ｔ５において、ＰＦＣ回路の動作がオンに切り替わったことに応じて、スイッチ３０８への電源供給が再開される。スイッチ３０８の電源レベルはＬｏｗからＨｉｇｈに遷移し、スイッチ３０８に供給される電源の電圧値も漸次上昇する。次いで、スイッチ３０８の電源レベルがオンに切り替わることに応じて、リセット信号もオンに切り替わる。
【００４９】
以上説明した通り、従来技術では、ＭＦＰ１０１が通常電力モードから省電力モードへの遷移を開始してから再び通常電力モードに復帰する場合に、ＰＦＣ回路が安定した電圧を出力可能となるまでの遅延時間が発生していた。この結果、ＭＦＰ１０１は遅延時間の経過を待って、省電力モードから通常電力モードに復帰するための復帰処理を開始する必要があり、ＭＦＰ１０１が省電力モードから通常電力モードに復帰する時間が長くなってしまっていた。
【００５０】
続いて、本実施形態におけるＰＦＣ回路制御の処理手順について説明する。図９は、本実施形態において、電源制御部３１０が実行するＰＦＣ回路（ＰＦＣ部２０６）制御の処理手順を示すフローチャートである。なお、図８のフローチャートの説明において、図７と重複する内容については説明を省略する。
【００５１】
Ｓ７０１〜Ｓ７０３は、図６のＳ６０１〜Ｓ６０３と同じため説明を省略する。
【００５２】
Ｓ７０４において、ＰＦＣ制御部３１２は、電源監視部３１１からＰＦＣ制御部３１２に入力されるリセット信号が、オン（Ｈｉｇｈ）からオフ（Ｌｏｗ）に切り替わったか否かを判定する。本実施形態では従来技術と異なり、スイッチ３０８の電源レベルが所定値以下（例えば電源レベルの最大値の１０％以下）になった場合、電源監視部３１１からＰＦＣ制御部３１２に入力されるリセット信号がオフに切り替わる。なお、スイッチ３０８の電源レベルを判定するための閾値は上記に限られず、例えば、スイッチ３０８の最大電源レベルの５０％〜１０％の間の任意の値などに設定することができる。リセット信号がオフに切り替わった場合（Ｓ７０４：ＹＥＳ）、Ｓ７０７に移行する。リセット信号がオフに切り替わらない場合（Ｓ７０４：ＮＯ）、Ｓ７０５に移行する。
【００５３】
Ｓ７０５において、ＰＦＣ制御部３１２は、通常電力モード遷移のための割り込み信号（復帰要因信号）を受信したか否かを判定する。通常電力モード遷移のための割り込み信号を受信した場合（Ｓ７０５：ＹＥＳ）、Ｓ７０６に移行する。通常電力モード遷移のための割り込み信号を受信していない場合（Ｓ７０５：ＮＯ）、再びＳ７０４に戻り、リセット信号がＯＮの間に、通常電力モード遷移のための割り込み信号を受信したか否かが判定される。
【００５４】
通常電力モード遷移のための割り込み信号を受信した場合（Ｓ７０５：ＹＥＳ）、Ｓ７０６において、ＰＦＣ制御信号がオン（Ｈｉｇｈ）に維持され、本フローチャートによる処理を終了する。一方、リセット信号がＯＮ状態の間に、通常電力モード遷移のための割り込み信号を受信していない場合（Ｓ７０４：ＮＯ）、Ｓ７０７において、ＰＦＣ制御信号がオフ（Ｌｏｗ）に切り替えられ、本フローチャートによる処理を終了する。
【００５５】
図１０は、本実施形態における電源レベルおよび各信号レベルの遷移を示すタイミングチャートである。図１０のタイミングチャートでは、ＭＦＰ１０１が通常電力モードから省電力モードへの遷移を開始してからリセット信号がオンからオフに切り替わるまでに、復帰要因信号を受信した場合の電源レベルおよび各信号レベルの遷移が示されている。なお、図１０のタイミングチャートの説明において、図８と重複する内容については説明を省略する。
【００５６】
ｔ１は、図８と同じため説明を省略する。
【００５７】
ｔ２において、ＰＦＣ制御部３１２は、通常電力モード遷移のための割り込み信号（復帰要因信号）を割り込み制御部３０６から受信する。ＰＦＣ制御部３１２は、ＰＦＣ制御部３１２が通常電力モード遷移のための割り込み信号を受信することに応じて、電源監視部３１１からＰＦＣ制御部３１２に入力されるリセット信号がオンであるか否かを判定する（Ｓ７０４）。図８に示される例では、リセット信号がオンであり（Ｓ７０４：ＮＯ）、通常電力モード遷移のための割り込み信号を受信しているため（Ｓ７０５：ＹＥＳ）、ＰＦＣ制御部３１２はＰＦＣ制御信号をオンに維持する（Ｓ７０６）。
【００５８】
ｔ２’において、スイッチ３０８の電源レベルが、該電源レベルの最大値の１０％となり、電源監視部３１１からＰＦＣ制御部３１２に入力されるリセット信号がオフに切り替わる。
【００５９】
ｔ３において、ＰＦＣ制御信号はオンに維持される（Ｓ７０６）。
【００６０】
ｔ３’において、ＰＦＣ制御信号はオンに維持されているため、ＰＦＣ部２０６が起動するまでの遅延時間を必要とすることなく、スイッチ３０８への電源供給が再開される。スイッチ３０８の電源レベルはＬｏｗからＨｉｇｈに遷移し、スイッチ３０８に供給される電源の電圧値も漸次上昇する。次いで、スイッチ３０８の電圧値が通常電力モードにおける電圧値の１０％を超えると、電源監視部３１１からＰＦＣ制御部３１２に入力されるリセット信号はオンに切り替わる。
【００６１】
なお、図１０のタイムチャートにおいて、実線は本実施形態の電源レベルおよび各種信号レベルの遷移を示し、点線は従来技術の電源レベルおよび各種信号レベルの遷移をそれぞれ示す。また、図１０のタイムチャートにおいて、従来技術におけるＰＦＣ制御信号レベルの切り替わりタイミング（ｔ４）と、従来技術におけるリセット信号レベルの切り替わりタイミング（ｔ５）とが、説明のために示される。
【００６２】
本実施形態において、ＭＦＰ１０１が通常電力モードから省電力モードへの遷移を開始してから、スイッチ３０８の電源レベルが最大値の１０％になるまでに、電源制御部３１０が復帰要因信号を検知した場合に、ＰＦＣ制御信号をオンに維持する。しかしながら、電源制御部３１０が復帰要因信号を検知するための期間は上記に限られない。変形例では、リセット信号を出力する電源監視部３１１の代わりに、タイマ（不図示）を用いてもよい。この場合、ＭＦＰ１０１が通常電力モードから省電力モードへの遷移を開始した時点から予め定められた期間内（例えば５０００ｍｓｅｃ）に、電源制御部３１０が復帰要因信号を検知した場合に、ＰＦＣ制御信号をオンに維持することができる。電源制御部３１０は、予め定められた期間内に復帰要因信号を検知しない場合、ＰＦＣ制御信号をオフに制御すればよい。
【００６３】
以上説明した通り、本実施形態のＭＦＰ１０１は、通常電力モードから省電力モードへの遷移を開始してから所定期間内に、再び通常電力モードに遷移させる契機となる復帰要因を検知した場合、ＰＦＣ回路をオンに維持する。かかる構成により、ＭＦＰ１０１は、遅延時間の経過を待つことなく、省電力モードから通常電力モードへの復帰処理を開始し、省電力モードから通常電力モードに短時間で復帰することができる。
【００６４】
［その他の実施例］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018069668.tif 000004
【図２】
2018069668.tif 000005
【図３】
2018069668.tif 000006
【図４】
2018069668.tif 000007
【図５】
2018069668.tif 000008
【図６】
2018069668.tif 000009
【図７】
2018069668.tif 000010
【図８】
2018069668.tif 000011
【図９】
2018069668.tif 000012
【図１０】
2018069668.tif 000013